(57)【要約】所望の製品（１）の製造が、準備された出発材料（２）をプロセスシステムに与えられた調合データ（２５）に関係して各製品（１）に加工する少なくとも１つの分散して配置されている自動化されたプロセスシステム（３）において行われる。プロセスシステム（３）は通信媒体（２７）を介して遠隔の中央の計算装置（２８）と接続されている。同じく通信媒体（２７）に接続されているインプット装置（２２）が製品希望（３７）をインプットするために用いられ、その際中央の計算装置（２８）は受け取った製品希望（３７）に関係して所望の製品（１）の製造のために必要な調合データ（２５）を自動化されたプロセスシステム（３）に対する調合データ集から入手し、またはこれに仲介する。中央の計算装置（２８）において製品（１）の各製造過程が量および品質にとって重要なプロセスデータ（１３′）を記録される。
2004511846.tif 000002
【特許請求の範囲】
【請求項１】
準備された出発材料（２）をプロセスシステムに与えられた調合データに関係してそれぞれ所望の製品（１）に加工する少なくとも１つの分散して配置されたプロセスシステム（３）における種々の出発材料（２）から所望の製品（１）を分散して製造するための装置において、データ（２５、３７）を通信媒体（２７）を介して遠隔の中央の計算装置（２８）と交換するためプロセスシステム（３）に対応付けられているデータインタフェース（２６）と、製品希望（３７）をインプットするためデータインタフェース（２６）に接続されているインプット装置（２２）とを有し、遠隔の中央の計算装置（２８）が受け取った製品希望（３７）に関係して種々の製品を含んでいる多数の調合データ集に対する調合データ（２５）にアクセスし、それぞれ所望の製品（１）に適合する少なくとも１つの調合データセットを選択し、そのなかに含まれている調合データ（２５）を通信媒体（２７）を介してプロセスシステム（３）に伝達する種々の出発材料から所望の製品を分散して製造するための装置。
【請求項２】
調合データ集が種々の調合データバンク（３０ないし３３）に配分されており、それらのうち少なくとも１つの調合データバンク（３１ないし３３）が他の計算装置（３４ないし３６）に対応付けられており、中央の計算装置（２８）が他の計算装置（３４ないし３６）を介してそれらの調合データバンク（３１ないし３３）にアクセスすることを特徴とする請求項１記載の装置。
【請求項３】
準備された出発材料（２）をプロセスシステムに与えられた調合データ（２５）に関係してそれぞれ所望の製品（１）に加工する少なくとも１つの分散して配置された自動化されたプロセスシステム（３）における種々の出発材料（２）から所望の製品（１）を分散して製造するための装置において、データ（２５、３７）を通信媒体（２７）を介して遠隔の中央の計算装置（２８）と交換するためプロセスシステム（３）に対応付けられているデータインタフェース（２６）と、製品希望（３７）をインプットするためデータインタフェース（２６）に接続されているインプット装置（２２）と、通信媒体（２７）に接続されている他の遠隔の計算装置（３４ないし３６）およびそれらにそれぞれ対応付けられており、多数の種々の製品に対する調合データ（２５）を含んでいる調合データバンク（３１ないし３３）とを有し、遠隔の中央の計算装置（２８）が受け取った製品希望（３７）に関係してそれぞれ所望の製品（１）に適合する調合データセットを含む少なくとも１つの調合データバンク（例えば３２）を選択し、また調合データセットに含まれている調合データ（２５）を通信媒体（２７）およびデータインタフェース（２６）を介してプロセスシステム（３）へ伝送するため付属の他の計算装置（たとえば３５）と自動化されたプロセスシステム（３）との間の接続を仲介する種々の出発材料から所望の製品を分散して製造するための装置。
【請求項４】
通信媒体（２７）がネットワーク、特にインターネット、から成っていることを特徴とする請求項１ないし３のいずれか１つに記載の方法。
【請求項５】
プロセスシステム（３）が調合データ（２５）に含まれそれぞれ必要とされる出発材料（２）に関する情報に関係して、これらを多数の種々の準備された出発材料から自動的に選択し、処理に供給することを特徴とする請求項１ないし４のいずれか１つに記載の方法。
【請求項６】
プロセスシステム（３）が、データインタフェース（２６）と接続されている、出発材料（２）のストックを管理するための装置を有することを特徴とする請求項１ないし５のいずれか１つに記載の方法。
【請求項７】
中央の遠隔の計算装置（２８）が、製品希望を伝達する送信者の資格および（または）アイデンティティを検査するための装置（３８）を有することを特徴とする請求項１ないし６のいずれか１つに記載の方法。
【請求項８】
中央の計算装置（２８）および場合によっては他の計算装置（３４ないし３６）が、調合データ（２５）の入手と関連してもたらされる弁済を清算するための装置をそれぞれ有することを特徴とする請求項７記載の装置。
【請求項９】
プロセスシステム（３）が、製造される製品（１）の質および（または）量に対して重要なプロセスデータ（１３´）を自動的に求め、これらをデータインタフェース（２６）および通信媒体（２７）を介して、調合データ（２５）を受け取った計算装置（２８、３４ないし３６）に伝達することを特徴とする請求項１ないし８のいずれか１つに記載の方法。
【請求項１０】
準備された出発材料（２）をプロセスシステムに与えられた調合データ（２５）に関係して所望の製品（１）に加工する自動化されたプロセスシステム（３）において、製品希望（３７）をインプットするためのインプット装置（２２）と、製品希望（３７）を遠隔の中央の計算装置（２８）に伝達し、遠隔の中央の計算装置（２８）またはこれにより仲介される他の遠隔の計算装置（たとえば３５）から調合データ（２５）を受け入れるためのデータインタフェース（２６）とを有する自動化されたプロセスシステム。
【請求項１１】
準備された出発材料（２）をプロセスシステムに与えられた調合データ（２５）に関係してそれぞれ所望の製品（１）に加工する少なくとも１つの分散して配置されたプロセスシステム（３）における種々の出発材料（２）から所望の製品（１）を分散して製造するための方法において、プロセスシステム（３）からインプット装置（２２）にインプットされた製品希望（３７）がデータインタフェース（２６）を介して遠隔の中央の計算装置（２８）に伝達され、計算装置（２８）またはそれにより仲介される他の遠隔の計算装置（たとえば３５）から供給される調合データ（２５）がデータインタフェース（２６）を介して受信される種々の出発材料から所望の製品を分散して製造するための方法。
【発明の詳細な説明】
【０００１】
本発明は種々の出発材料から所望の製品を分散して製造するための装置および方法ならびに自動化プロセスシステムに関する。
【０００２】
化学、薬学、医学、生物学または化粧品分野では、しばしば製品が比較的少量のみ必要とされる場合があり、それらの製品は種々の用途、または種々の人々に対して、種々の出発材料から種々の処方箋による調合に従って製造される。その一例は患者の薬剤の処方で、患者または各病状に個別に合わされた調剤またはそれらの組み合わせによるものである。このような製品のわずかな量および個別的な調合に鑑みて、これらの中央での製造および各エンドユーザーへの販売は非常に費用がかかる。他方においてしばしば１つまたは少数の可能性のあるメーカーしか知識、ここでは特に調合知識、および個々の製品を製造するための資格、たとえば保護権所有者またはライセンス所持者としての資格、を有していない。さらに多くの製品の製造の際には特定の信頼性要求 および（または）品質要求が守られなければならない。このことは特に、予め定められた品質および組成でそれぞれ資格を付与されている人、たとえば薬剤師、医師または患者にのみ到達が許される薬剤の製造に当てはまる。
【０００３】
本発明の課題は、上記の問題を顧慮して種々の調合の製品の経済的な製造を可能にすることである。
【０００４】
この課題は本発明によれば、請求項１またはそれに代えて請求項３にあげられている装置、請求項１０にあげられている自動化プロセスシステムまたは請求項１１にあげられている方法により解決される。
【０００５】
本発明による解決策の有利な構成は従属請求項にあげられている。
【０００６】
本発明による解決策により、製造者から流通業者を経てエンドユーザーへの従来のプロセス連鎖が顕著に短縮される。
【０００７】
これは、種々の所望の製品の製造が、与えられた調合データに応じて準備された出発材料をそれぞれ所望の製品として処理する立場にある分散した、すなわちローカルな、自動化されたプロセスシステムにおいて行われることにより可能となる。このような自動化されたプロセスシステムの例は独国特許出願第１９９ ５４ ８５５．２号および第１００ １５ ４２３．９号に見出される。そこに記載されているプロセスシステムはコンフィギュレーション可能性を有し、かつそれぞれ予め定められた部分プロセスを自動化して処理するプロセスモジュールから成っており、これらのプロセスモジュールはデータ接続を介して上位の制御部に接続されている。プロセスモジュールは、たとえばマイクロリアクター、ポンプモジュール、フィルタモジュール、エネルギー供給モジュール、流体供給 および廃棄モジュール、分析モジュールなどを有する種々の形式のリアクターモジュールであってよい。コンフィギュレーション可能性とは、個々のプロセスモジュールのパラメータ化及びそれらの相互の配置および接続を意味する。その際にプロセスモジュールの接続は個々のプロセスモジュールの間の処理すべき材料の交換をも含んでいる。
【０００８】
さらに、所望の製品を製造するために必要な調合データは遠隔の中央の計算装置への製品希望の伝達の後に計算装置より入手または仲介され、自動化されたプロセスシステムに伝達される。ここで中央とは、遠隔の計算装置が少なくとも１つの分散したプロセスシステムにも他の場所における他のこのようなプロセスシステムにも、必要とされる調合データを入手するために自由になることを意味する。製品希望は製品名、化学式、一般的な基本調合などの形態でインプット装置において利用者対話を介して、またはたとえば患者カルテからの処方の直接的な読み入れにより、インプットされ得る。所望の製品を遠隔の中央の計算装置との対話操作で決めることも可能である。製品希望に関係して求められ、また次いでプロセスシステムに伝達された調合データは、最も一般的な場合には所望の製品を製造するために重要なすべての情報、特に必要とされる出発材料、必要な製造ステップ、材料量、流量または温度のようなプロセスパラメータなどのような情報を含んでいる。これらの情報に関係して、プロセスシステムが所望の製品を製造するためにトレーニングされる。こうして上述のモジュラーなプロセスシステムの場合にはそれぞれ必要とされるプロセスモジュールが選び出され、コンフィギュレートされる。その際コンフィギュレーションは少なくとも部分的に自動的に、たとえば個々のプロセスモジュールのプロセスパラメータが伝送された調合データを手がかりにして自動的に設定されることによって行われる。さらにプロセスシステムは調合データに含まれている必要とされる出発材料に関する情報に関係して必要とされる出発材料を自動的に多数の種々の準備されている出発材料から選び出し、処理に供給することができる。たとえばそれぞれ必要とされるプロセスモジュールの選び出しおよびそれらの配線のようなコンフィギュレーションが手作業で行われるかぎり、その際にそれぞれ行われる実際コンフィギュレーションは調合データにより予め定められた目標コンフィギュレーションを手がかりにして正しさを検査することができる。
【０００９】
分散したプロセスシステムと遠隔の中央の計算装置との間でデータを交換するための好ましい通信媒体として、インターネット、計算装置が互いに通信し得るように組織されているグローバルなネットワークが使用される。その際に基本はクライエントサーバー原理であり、それによれば特定の計算装置（サーバー）から、他の計算装置（クライエント）から呼び出され得るサービスが提供される。インターネットサーバーへのアクセスは、予め定められたインターネットプロトコルの使用のもとにインターネット内の既知のインターネットブラウサーおよび通信の助けをかりて行われる。インターネットサービスには、場合によってはアクセス資格の検査の後に他の計算装置（ホスト）を対話作動に切換え（ｅｉｎｌｏｇｇｅｎ）、そこからデータをコピーし（ダウンロード）、固有のデータをそこに伝達し（アプロード）、または演算を遠隔の計算装置上で実行する可能性も属する。インターネットまたはイントラネットの代わりに他の通信媒体も考慮の対象になる。
【００１０】
中央の計算装置は第１の代替例に相応して受け取った製品希望に関係して多数のさまざまな製品に対する調合データを含んでいる調合データ集にアクセスし、所望の製品に適している少なくとも１つの調合データ集を選び出し、その調合データがプロセスシステムに伝達される。調合データ集はその際に、再びそれらに対応付けられている他の計算装置と一緒にたとえば種々の化学または薬学企業により運用され得る複数の調合データバンクに分割され得る。その際に分散したプロセスシステムにより接触される中央の計算装置は通信媒体および他の計算装置を介して調合データを入手するためそれらの調合データバンクにアクセスし得る。
【００１１】
第２の代替例では中央の計算装置はそれ自体が必要とされる調合データを入手するのではなく、所望の製品に適している調合データセットを含んでいる１つまたは複数の分散した調合データバンクにおける製品希望の送信者に仲介し、プロセスシステムにおける適切な調合データを伝送するためのその後の過程は次いでプロセスシステムとそれぞれ仲介された調合データバンクとの間で行われる。
【００１２】
消費された出発材料の補充を保障するため、自動化されたプロセスシステムは好ましくはデータインタフェースと接続されている出発材料のストックを管理するための装置を含んでいる。ストックが終りに近付くと、プロセスシステムは自動的にデータインタフェースを介して必要とされる出発材料の後注文を、このようなサービスを通信媒体に接続されている計算装置を介して提供する製造者に行う立場にある。
【００１３】
たとえば医薬品の場合に、規定されている安全性要求を満足するため、また調合データの入手と関連してもたらされる弁済の清算を可能にするため、中央の計算装置が製品希望を伝達する送信者の資格およびアイデンティティ検査のための装置と、場合によってはその際に必要とれるライセンスを含めて調合データの入手と関連してもたらされる弁済を清算するための装置とを含んでいることは好ましい。中央の計算装置が、たとえばプロセスシステムを分散した調合データバンクに仲介することによって、部分弁済のみをもたらすかぎり、分散した調合データバンクにも資格および（又は）アイデンティティ検査のための装置と、もたらされた弁済を清算するための装置とが設けられていてよい。製品希望を伝達する送信者とは、遠隔の中央の計算装置に対して先ず第一に各プロセスシステムである。製品希望をインプットする人のアンデンティティまたは資格の検査はその際にインプット装置自体により行われ得る。
【００１４】
品質保証および（または）ライセンス計算のために、プロセスシステムが製造された製品の品質および（または）量に対して重要なプロセスデータを自動的に求め、これらをデータインタフェースおよび通信媒体を介して中央の計算装置または調合データを供給する調合データバンクに伝送するように構成されていることは好ましい。そこでこれらのプロセスデータは相応に評価され、記憶される。
【００１５】
約言しまた換言すると、本発明による装置のプロセスシステムは、予め定められた数の出発材料から所望の製品を個別の調合に従って製造し得るローカルな装置であって、ユーザーインタフェース（インプット装置）およびプロバイダーインタフェース（データインタフェース）を設けられており、その際にカスタマーがユーザーインタフェースにおいて自らを識別し、製品希望をインプットし、それに基づいてプロバイダーインタフェースが所望の製品に対するライセンス供与者、必要とされる出発材料の製造者および清算部署への接触を確立する装置である。さらに品質管理および業務行為のドキュメンテーションのための装置が設けられている。
【００１６】
以下に本発明を図面に示されている実施例により説明する。
【００１７】
現在必要とされる製品１をここでは流体、少なくとも液体および（または）気体状、の出発材料２から分散して製造するため、分散して、たとえばラボ、薬局または病院、に配置されているモジュラーな自動化されたプロセスシステム３が設けられている。その他の同種のプロセスシステム３′、３″が多くの他の個所に存在していてよい。プロセスシステム３は種々の互いに並び得るプロセスモジュール４ないし９から成っており、それらのなかでそれぞれ所望の製品１を製造するための部分プロセスが自動的に実行される。プロセスモジュール４ないし９はたとえばマイクロリアクター、ポンプモジュール、フィルタモジュール、エネルギー供給モジュール、流体供給および廃棄モジュール、分析モジュールなどを有する種々の形式のリアクターモジュールであってよい。能動的な、すなわち部分プロセスを実行するプロセスモジュール４、６、７および９はそれぞれ制御ユニット１０および流体ユニット１１を有し、その際に本来の部分プロセスは流体ユニット１１のなかで制御ユニット１０の制御信号１２に関係して実行される。流体ユニット１１のなかで受け入れられたプロセス信号１３、たとえば温度値 、圧力値または分析値、は制御ユニット１０に伝達される。種々のプロセスモジュール４ないし９のなかの制御ユニット１０はデータバス１４およびエネルギー供給バス１５を介して互いに接続されている。流体ユニット１１は、処理すべき出発材料２および場合によっては中間製品が導かれる複数のチャネル１７から成る流体バス１６を介して互いに接続されている。能動的なプロセスモジュール４、６、７および９の内部をこれらのチャネル１７が平行して延びており、その際に、それぞれ２つの隣接する能動的なプロセスモジュール、ここでは４および６または７および９、のチャネル１７の、平行構造からずれた個別の接続は、相応の固定のチャネルコンフィギュレーションを有する受動的なプロセスモジュール５または８の中間接続により可能にされる。それに代えてチャネル１７の接続は制御可能に、その流体ユニットがたとえば制御可能な弁を有するチャネルマトリックスとして構成されている中間接続された能動的なプロセスモジュールによっても行われ得る。
【００１８】
プロセスモジュール４はプロセスシステム３に対する基本機能を準備するのに用いられ、そのために制御ユニット１０は外部の電流供給源１８に、またデータ接続１９、たとえば外部バス、を介して可視化装置２１およびインプット装置２２を有する上位の制御部２０に接続されている。データ接続１９はまたデータバス１４の直接的な延長として構成されていてもよい。
【００１９】
ここに概要を示されているように、データバス１４、エネルギー供給バス１５および流体バス１６はそれぞれ共通の支持体２３の上に並び合っているプロセスモジュール４ないし９の内部の内部バス区間から成っており、その際にそれぞれ必要とされるプロセスモジュール４ないし９を保持体２３の上に装着することによりバス１４〜１６が形成さる。
【００２０】
プロセスモジュール４ないし９は内側でも外側でもコンフィギュレーション可能である。その際に内側のコンフィギュレーションは特にプロセスモジュール４ないし９のパラメータ化を含んでおり、その際にパラメータ値は上位の制御部２０からデータ接続１９およびデータバス１４を経て個々のプロセスモジュール４ないし９のなかの制御ユニット１０に伝送可能である。さらにプロセスモジュール４ないし９における設定は手作業で操作要素２４を介しても行われ得る。ここで外側のコンフィギュレーションとは、プロセスシステム３への個々のプロセスモジュール４ないし９の組入れをいう。それには、プロセスモジュール４ないし９の選択および順序とならんで、隣接するプロセスモジュールの間のチャネル１７の接続も属する。２つの隣接するプロセスモジュール、たとえば４と５、の間のチャネル１７が平行に延長されてはならないならば、これは、先に既に説明したように、相応のチャネルコンフィギュレーションを有する相応の受動的なプロセスモジュール５の中間挿入により行われる。個々のプロセスモジュール４ないし９の内側および外側のコンフィギュレーションを介してのすべての情報は、個々の制御ユニット１０の内部のここには示されていないコンフィギュレーション装置のなかに保管されており、ここからこれらの情報が上位の制御部２０によりデータバス１４およびデータ接続１９を介して呼び出し可能である。
【００２１】
自動化されたプロセスシステム３のここまでに説明された例は既に前述の独国特許出願第１９９ ５４ ８５５．２号および第１００ １５ ４２３．９号明細書の対象である。
【００２２】
プロセスシステム３におけるすぉれぞれ望まれる製品１の製造は、一方では必要とされる出発材料２の準備、プロセスモジュール４ないし９の特定の内側および外側のコンフィギュレーションおよび最後にプロセスモジュール４ないし９の流体ユニット１１のなかでの出発材料２の処理の際の特有のプロセス進行を必要とし、その際に一般的なプロセス進行は上位の制御部２０により、また流体ユニット１１のなかの部分プロセスは対応付けられる制御ユニット１０により制御される。そのために必要なすべての情報は製造すべき製品１に対する調合データ２５である。これらの調合データ２５に到達するため、プロセスシステム３は通信媒体２７、ここではインターネット、を介して中央の計算装置２８とデータを交換するためデータ接続１９に接続されているデータインタフェース２６を有する。中央の計算装置２８は多数の種々の製品を含んでいる調合データ集に対する調合データにアクセスする。この調合データ集は一方では固有の調合データバンク３０に、また他方ではさまざまな情報提供者、ここではたとえば化学会社 または薬品会社、における他の計算装置３４、３５、３６の他の調合データバンク３１、３２、３３に分かれ得る。分散して配置されている自動化されたプロセスシステム３のインプット装置２２には利用者対話を介して現在必要とされる製品１に関する製品希望３７がインプットされる。製品希望３７をインプットする人はその際にインプット装置２２におけるカード読取り機４２にチップカード４１を挿入することにより自らを識別する。カード読取り機４２は患者カード４３からの製品希望３７の選択的な読入れをも可能にする。製品希望３７はさらにデータインタフェース２６を介して中央の計算装置２８に伝送され、この中央の計算装置２８は所望の製品１に適する少なくとも１つの調合データセットを調合データ集から選び出し、調合データセットに含まれている調合データ２５を通信媒体２７を介してプロセスシステム３に伝送する。中央の計算装置２８はそのために他の計算装置３４ないし３６を介してそれらの調合データバンク３１ないし３３にアクセスし、そこから調合データ２５を入手する。それに代えて中央の計算装置２８は製品希望３７を手がかりにして適切な外部の調合データバンク、たとえば３２、を求め、その計算装置、たとえば３５、とプロセスシステム３との間で調合データバンク３２からその計算装置３５を介して直接にプロセスシステム３に調合データ２５を伝送するための接続を仲介する。調合データ２５は可視化装置２１上に、プロセスシステム３のオペレータに必要とされる出発材料２について、必要とされるプロセスモジュール４ないし９、それらの配置およびそれらのパラメータ化に関する情報を与えるような仕方で表示される。個々のプロセスモジュール４ないし９の自動的なコンフィギュレーションが可能であるかぎり、調合データ２５は対応付けられている制御ユニット１０に自動的に伝達され得る。製品１を製造するための本来のプロセス進行を含んでいる調合データ２５は自動的に上位の制御２０に伝送される。上位の制御部２０は再び部分プロセスに対して必要なデータを個々のプロセスモジュール４ないし９の制御ユニット１０に��える。
【００２３】
調合データ２５の指示に従って行われた必要とされるプロセスモジュール４ないし９の選択および配置およびそれらのコンフィギュレーションは、プロセスモジュール４ないし９の制御ユニット１０の上述のコンフィギュレーション報知装置を介して上位の制御部２０に報知されるので、そこで行われた実際コンフィギュレーションの検査がプロセスシステム３の調合データ２５により予め定められた目標コンフィギュレーションを顧慮して行われ、プロセスシステム３の誤った構成または個々のプロセスモジュール４ないし９の誤ったパラメータ化が認識され、可視化装置２１上に表示され得る。構成またはパラメータ化の確かめられた誤りが補正されない場合には、プロセスシステム３のなかの進行全体が中断され、このことが中央の計算装置２８に報知される。
【００２４】
中央の計算装置２８は製品希望３７を伝達する送信者、ここではプロセスシステム３、の資格および（または）アイデンティティを検査するための装置３８を有する。さらに計算装置２８は調合データ２５の入手と関連してもたらされる弁済を清算するための装置３９を有する。このことは基本的にいわゆる“ｅコマース”または“ｅ ビジネス”解決法から知られている。同じく他の計算装置３４ないし３６もそれらによりもたらされる能力を精算するための相応の装置３９を含んでいる。
【００２５】
上述のように、流体ユニット１１における製品１を製造するためのプロセス進行の間に受け入れられるプロセス信号１３は個々のプロセスモジュール４ないし９の制御ユニット１０に伝送され、そこから上位の制御部２０に伝達される。これから製造された製品１の品質および（または）量に対して重要なプロセスデータ１３´がデータインタフェース２６を介して中央の計算装置２８に伝送される。中央の計算装置２８はこれらのデータ１３´をメモリ装置４０に製造された製品１の品質および（または）量のドキュメンテーションのために格納する。製造された製品１のドキュメンテーションされた量に相応して、中央の計算装置２８が弁済清算と関連してライセンス使用料を計算する。さらに製造された製品１に関するデータ、特に製品１のエンドユーザーに対する受領データ、が分散したプロセスシステム３のなかでプリンタ４４を用いて印刷され得る。
【００２６】
プロセスシステム３の上位の制御部２０は出発材料２のストックを管理するための装置４５を含んでいる。出発材料２の前もって決定された最小ストックが下回られるか、または受け取った調合データ２５に基づいてそれぞれ製造すべき製品１に対して特定の出発材料２が新たに必要とされるか、または製品１の製造の間にその際に求められたプロセスデータ１３に基づいてストック不足が確認されると、装置４５が通信媒体２７を介して自動的に該当する出発材料の後注文を、相応のインターネットサービスを提供する製造者の同じく通信媒体２７に接続されている計算装置４６に指令する。
【図面の簡単な説明】
【図１】
図面は本発明の実施例の構成図である。
【符号の説明】
１　製品
２　出発材料
３、３′、３″プロセスシステム
４〜９　プロセスモジュール
１０　制御ユニット
１１　流体ユニット
１２　制御信号
１３　プロセス信号
１４　データバス
１５　エネルギー供給バス
１７　チャネル
１８　電流供給源
１９　データ接続
２０　制御部
２１　可視化装置
２２　インプット装置
２３　支持体
２４　操作要素
２５　調合データ
２６　データインタフェース
２７　通信媒体
２８　計算装置
３１〜３３　調合データバンク
３４〜３６　計算装置
３７　製品希望
【国際公開パンフレット】
2004511846.tif 000003
2004511846.tif 000004
2004511846.tif 000005
2004511846.tif 000006
2004511846.tif 000007
2004511846.tif 000008
2004511846.tif 000009
2004511846.tif 000010
2004511846.tif 000011
2004511846.tif 000012
2004511846.tif 000013
2004511846.tif 000014
2004511846.tif 000015
2004511846.tif 000016
2004511846.tif 000017
2004511846.tif 000018
2004511846.tif 000019
2004511846.tif 000020
2004511846.tif 000021
【国際公開パンフレット（コレクトバージョン）】
2004511846.tif 000022
2004511846.tif 000023
【国際調査報告】
2004511846.tif 000024
2004511846.tif 000025
2004511846.tif 000026
2004511846.tif 000027
2004511846.tif 000028